(57)【要約】【課題】データの書き換えが容易なデジタル放送受信機を提供する。【解決手段】フラッシュメモリ７と、外部アンテナからの受信信号を入力するアンテナ入力端子１と、プリント配線基板のプリント配線パターンの一部によって形成されるループアンテナ１１と、前記外部アンテナからの受信信号又はループアンテナ１１からの受信信号を周波数変換するダウンコンバート部（局部発振器３及びミキサ４）と、ループアンテナ１１と前記ダウンコンバート部との間に設けられる電界効果トランジスタ１２と、前記ダウンコンバート部から出力される信号をデジタル復調する復調回路５と、電界効果トランジスタ１２をオン／オフ制御して復調回路５から出力される信号に基づいてフラッシュメモリ７のデータ書き換えを行う制御部（信号処理用マイクロコンピュータ６及びメインマイクロコンピュータ９）とを備えるデジタル放送受信機。【選択図】図１
2008066766.tif 000002
【特許請求の範囲】
【請求項１】
フラッシュメモリと、
外部アンテナからの受信信号を入力するアンテナ入力端子と、
プリント配線基板のプリント配線パターンの一部によって形成される内部ループアンテナと、
前記外部アンテナからの受信信号又は前記内部ループアンテナからの受信信号を周波数変換するダウンコンバート部と、
前記内部ループアンテナと前記ダウンコンバート部との間に設けられる電界効果トランジスタと、
前記ダウンコンバート部から出力される信号をデジタル復調する復調部と、
前記メモリのデータ書き換え開始時に前記電界効果トランジスタをオンにし、前記メモリのデータ書き換え終了時に前記電界効果トランジスタをオフにし、前記メモリのデータ書き換えの際に前記復調部から出力される信号のビットエラーレートを算出し、前記ビットエラーレートが所定の閾値未満で有るときのみ、前記復調部から出力される信号に基づいて前記メモリのデータ書き換えを行う制御部と、
前記メモリのデータ書き換えの際に前記ビットエラーレートが所定の閾値以上で有る場合に、前記ビットエラーレートが所定の閾値以上で有る旨を報知し、前記メモリのデータ書き換え終了時に前記メモリのデータ書き換えが終了した旨を報知する報知部とを備えることを特徴とするデジタル放送受信機。
【請求項２】
書き換え可能な不揮発性メモリと、
外部アンテナからの受信信号を入力するアンテナ入力端子と、
内部アンテナと、
前記外部アンテナからの受信信号又は前記内部アンテナからの受信信号を周波数変換するダウンコンバート部と、
前記内部アンテナと前記ダウンコンバート部との間に設けられるスイッチ素子と、
前記ダウンコンバート部から出力される信号をデジタル復調する復調部と、
前記復調部から出力される信号に基づいて前記不揮発性メモリのデータ書き換えを行う制御部とを備えることを特徴とするデジタル放送受信機。
【請求項３】
前記不揮発性メモリがフラッシュメモリであり、
前記内部アンテナがプリント配線基板のプリント配線パターンの一部によって形成されるループアンテナであり、
前記スイッチ素子が電界効果トランジスタであり、
前記制御部が前記電界効果トランジスタのオン／オフ制御を行う請求項２に記載のデジタル放送受信機。
【発明の詳細な説明】
【技術分野】
【０００１】
本発明は、デジタル放送受信機に関する。
【背景技術】
【０００２】
従来のデジタル放送受信機の概略構成例を図３に示す。従来のデジタル放送受信機１００は、チューナ部２００と、復調回路５と、放送信号受信時にデコードなどの信号処理を行う信号処理用マイクロコンピュータ６と、フラッシュメモリ７と、ワークメモリであるＲＡＭ８と、メインマイクロコンピュータ９と、リモコン受信部１０とを備えている。チューナ部２００は、アンテナ入力端子１と、ＲＦアンプ２と、局部発振器３と、ミキサ４とを備えている。
【０００３】
フラッシュメモリ７は従来のデジタル放送受信機１００がデジタル放送を受信するために必要なファームウェアを記憶しているが、フラッシュメモリ７が記憶しているファームウェアにバグがある場合などにはフラッシュメモリ７に記憶されているデータを書き換えてファームアップを行う必要がある。
【０００４】
従来のデジタル放送受信機１００がユーザによって実際に使用されている場合、アンテナ入力端子１に外部アンテナが接続されているので、放送信号を利用してファームアップ用の書き換えデータを従来のデジタル放送受信機１００に送ることによってファームアップを実行することが可能である（例えば、特許文献１を参照）。
【０００５】
これに対して、従来のデジタル放送受信機１００が工場内や倉庫内にある場合、アンテナ入力端子１に外部アンテナが接続されていない状態であるので、放送信号を利用したファームアップを実行することができない。したがって、工場内や倉庫内においてファームアップを行う場合は、通常、図４に示すように従来のデジタル放送受信機１００のアンテナ入力端子１と書き換えデータ送信装置３００の出力端子とをＲＦケーブル４００で接続し、以下に説明する手順でファームアップを実行する。
【０００６】
ここでは、一般ユーザには供給されない製造者専用リモコン送信機（不図示）を用いる。製造者専用リモコン送信機の操作者が工場モードのデータ書き換え機能を選択する操作を行うと、工場モードのデータ書き換え機能に対応する赤外線信号がリモコン送信機から送信される。リモコン受信部１０は、リモコン送信機から送信された工場モードのデータ書き換え機能に対応する赤外線信号をパルス電圧信号に変換してメインマイクロコンピュータ９に送出する。メインマイクロコンピュータ９は、工場モードのデータ書き換え機能に対応するパルス電圧信号を受け取ると、局部発振器３に所定の周波数の局部発振信号を出力させ、信号処理用マイクロコンピュータ６にフラッシュメモリ７のデータ書き換え準備をさせる。
【０００７】
書き換えデータ送信装置３００は、ファームアップ用の書き換えデータをデジタル変調し、そのデジタル変調したデータをアップコンバートしてＲＦ信号に変換し、そのＲＦ信号を出力端子から出力する。
【０００８】
書き換えデータ送信装置３００の出力端子から出力されたＲＦ信号は、ＲＦケーブル４００を伝送して従来のデジタル放送受信機１００のアンテナ入力端子１に入力され、ＲＦアンプ２によって増幅され、ミキサ４によって局部発振器３からの局部発振信号と混合されることによってダウンコンバートされてＩＦ信号となる。ＩＦ信号は復調回路５においてＡ／Ｄ変換された後デジタル復調されて書き換えデータとなる。信号処理用マイクロコンピュータ６は、復調回路５から送られている書き換えデータをフラッシュメモリ７に書き込む。
【特許文献１】特開２００３−３９８９０号公報
【発明の開示】
【発明が解決しようとする課題】
【０００９】
しかしながら、図３に示すようなシステム構成でファームアップを実行する場合、デジタル放送受信機一台一台にＲＦケーブルを差してフラッシュメモリのデータを書き換える必要があり、手間がかかっていた。
【００１０】
本発明は、上記の問題点に鑑み、データの書き換えが容易なデジタル放送受信機を提供することを目的とする。
【課題を解決するための手段】
【００１１】
上記目的を達成するために本発明に係るデジタル放送受信機は、書き換え可能な不揮発性メモリと、外部アンテナからの受信信号を入力するアンテナ入力端子と、内部アンテナと、前記外部アンテナからの受信信号又は前記内部アンテナからの受信信号を周波数変換するダウンコンバート部と、前記内部アンテナと前記ダウンコンバート部との間に設けられるスイッチ素子と、前記ダウンコンバート部から出力される信号をデジタル復調する復調部と、前記復調部から出力される信号に基づいて前記不揮発性メモリのデータ書き換えを行う制御部とを備える構成としている。
【００１２】
このような構成によると、内部アンテナとダウンコンバート部との間に設けられるスイッチ素子を不揮発性メモリのデータ書き換えの際にオンすることで、ダウンコンバート部が内部アンテナからの受信信号を周波数変換し、そのダウンコンバート部の出力信号をデジタル復調する復調部から出力される信号に基づいて不揮発性メモリのデータ書き換えが行われるので、アンテナ入力端子に外部アンテナが接続されていない状態であっても不揮発性メモリのデータを書き換える際にアンテナ入力端子にＲＦケーブルを差す必要がなくなる。これにより、データの書き換えが容易になる。
【００１３】
また、前記不揮発性メモリをフラッシュメモリとし、前記内部アンテナをプリント配線基板のプリント配線パターンの一部によって形成されるループアンテナとし、前記スイッチ素子を電界効果トランジスタとし、前記制御部が前記電界効果トランジスタのオン／オフ制御を行うようにしてもよい。
【００１４】
また、前記制御部が、前記不揮発性メモリのデータ書き換え開始時に前記電界効果トランジスタをオンにし、前記不揮発性メモリのデータ書き換え終了時に前記電界効果トランジスタをオフにし、前記不揮発性メモリのデータ書き換えの際に前記復調部から出力される信号のビットエラーレートを算出し、前記ビットエラーレートが所定の閾値未満で有るときのみ、前記復調部から出力される信号に基づいて前記不揮発性メモリのデータ書き換えを行うようにし、さらに、前記不揮発性メモリのデータ書き換えの際に前記ビットエラーレートが所定の閾値以上で有る場合に、前記ビットエラーレートが所定の閾値以上で有る旨を報知し、前記不揮発性メモリのデータ書き換え終了時に前記不揮発性メモリのデータ書き換えが終了した旨を報知する報知部を備えるようにしてもよい。
【００１５】
不揮発性メモリのデータ書き換えの際に復調部から出力される信号のビットエラーレートが所定の閾値未満で有るときのみ、不揮発性メモリのデータ書き換えが行われるので、正確でない書き換えデータが不揮発性メモリに書き込まれることを防止することができる。また、不揮発性メモリのデータ書き換えの際に復調部から出力される信号のビットエラーレートが所定の閾値以上で有る場合に不揮発性メモリのデータ書き換えの際に復調部から出力される信号のビットエラーレートが所定の閾値以上で有ることや、不揮発性メモリのデータ書き換え終了時に不揮発性メモリのデータ書き換えが終了したことを報知部により操作者に知らせることができるので、操作者が容易に状況を把握することができる。
【発明の効果】
【００１６】
本発明に係るデジタル放送受信機によると、内部アンテナとダウンコンバート部との間に設けられるスイッチ素子を不揮発性メモリのデータ書き換えの際にオンすることで、ダウンコンバート部が内部アンテナからの受信信号を周波数変換し、そのダウンコンバート部の出力信号をデジタル復調する復調部から出力される信号に基づいて不揮発性メモリのデータ書き換えが行われるので、アンテナ入力端子に外部アンテナが接続されていない状態であっても不揮発性メモリのデータを書き換える際にアンテナ入力端子にＲＦケーブルを差す必要がなくなる。これにより、データの書き換えが容易になる。
【発明を実施するための最良の形態】
【００１７】
本発明の実施形態について図面を参照して以下に説明する。本発明に係るデジタル放送受信機の概略構成例を図１に示す。
【００１８】
本発明に係るデジタル放送受信機の概略構成例を図１に示す。本発明に係るデジタル放送受信機１０１は、チューナ部２０１と、復調回路５と、放送信号受信時にデコードなどの信号処理を行う信号処理用マイクロコンピュータ６と、フラッシュメモリ７と、ワークメモリであるＲＡＭ８と、メインマイクロコンピュータ９と、リモコン受信部１０と、ループアンテナ１１とを備えている。チューナ部２０１は、アンテナ入力端子１と、ＲＦアンプ２と、局部発振器３と、ミキサ４と、スイッチ素子として機能するＮチャネル型ＭＯＳ電界効果トランジスタ１２とを備えている。ループアンテナ１１は、例えば、メインマイクロコンピュータ９等が実装されるメインプリント配線基板のプリント配線パターンの一部によって形成することができる。
【００１９】
フラッシュメモリ７は本発明に係るデジタル放送受信機１０１がデジタル放送を受信するために必要なファームウェアを記憶しているが、フラッシュメモリ７が記憶しているファームウェアにバグがある場合などにはフラッシュメモリ７に記憶されているデータを書き換えてファームアップを行う必要がある。
【００２０】
本発明に係るデジタル放送受信機１０１が工場内や倉庫内にある場合、アンテナ入力端子１に外部アンテナが接続されていない状態であるので、放送信号を利用したファームアップを実行することができない。したがって、工場内や倉庫内においてファームアップを行う場合は、図２に示すように書き換えデータ送信装置３０１を用いて、以下に説明する手順でファームアップを実行する。
【００２１】
ここでは、一般ユーザには供給されない製造者専用リモコン送信機（不図示）を用いる。製造者専用リモコン送信機の操作者が工場モードのデータ書き換え機能を選択する操作を行うと、工場モードのデータ書き換え機能に対応する赤外線信号がリモコン送信機から送信される。リモコン受信部１０は、リモコン送信機から送信された工場モードのデータ書き換え機能に対応する赤外線信号をパルス電圧信号に変換してメインマイクロコンピュータ９に送出する。メインマイクロコンピュータ９は、工場モードのデータ書き換え機能に対応するパルス電圧信号を受け取ると、局部発振器３に所定の周波数の局部発振信号を出力させ、信号処理用マイクロコンピュータ６にフラッシュメモリ７のデータ書き換え準備をさせ、ＭＯＳ電界効果トランジスタ１２のゲートに送る制御信号をＨｉｇｈレベルにしてＭＯＳ電界効果トランジスタ１２をＯＮ状態にする。
【００２２】
書き換えデータ送信装置３０１は、ファームアップ用の書き換えデータをデジタル変調し、そのデジタル変調したデータをアップコンバートしてＲＦ信号に変換し、そのＲＦ信号を無線信号の形態で送信アンテナから出力する。
【００２３】
書き換えデータ送信装置３００の送信アンテナから無線信号の形態で送信されたＲＦ信号は、本発明に係るデジタル放送受信機１０１のループアンテナ１１によって受信され、ＭＯＳ電界効果トランジスタ１２を経由にしてＲＦアンプ２に到達し、ＲＦアンプ２によって増幅され、ミキサ４によって局部発振器３からの局部発振信号と混合されることによってダウンコンバートされてＩＦ信号となる。そのＩＦ信号は復調回路５においてＡ／Ｄ変換された後デジタル復調されて書き換えデータとなる。信号処理用マイクロコンピュータ６は、復調回路５から送られている書き換えデータをフラッシュメモリ７に書き込む。さらに、フラッシュメモリ７への書き換えデータの書き込みが終了すると、信号処理用マイクロコンピュータ６はメインマイクロコンピュータ７にデータの書き込みが終わった旨の信号を送出する。当該信号をメインマイクロコンピュータ９が受け取ると、メインマイクロコンピュータ９は、所定の周波数の局部発振信号の出力が停止するように局部発振器３を制御し、ＭＯＳ電界効果トランジスタ１２のゲートに送る制御信号をＬｏｗレベルにしてＭＯＳ電界効果トランジスタ１２をＯＦＦ状態にし、データ書き換えが終了した旨の画面表示を表示部（例として、デジタル放送受信機がＴＶである場合はテレビ画面、デジタル放送受信機がチューナ内蔵ＤＶＤレコーダーである場合は機器本体の前面に設けられている表示画面等が挙げられる。）に行わせるための信号を生成して出力する。なお、データ書き換えが終了した旨を表示によって報知する代わりに、メインマイクロコンピュータ９が、データ書き換えが終了した旨の音声を機器に内蔵されているスピーカやブザー等に出力させるための信号を生成して出力するようにしてもよい。
【００２４】
データ書き換えのときのみＭＯＳ電界効果トランジスタ１２がＯＮ状態になり、デジタル放送受信時にはＭＯＳ電界効果トランジスタ１２がＯＦＦ状態であってループアンテナ１１とＲＦアンプ２とは電気的に接続されないので、デジタル放送受信時にチューナ部２０１はループアンテナ１１からの妨害は受けない。
【００２５】
また、周辺環境などにより受信感度が悪化した場合、書き換えデータのビットエラーレートが大きくなり、正確な書き換えデータをフラッシュメモリ７に書き込めなくおそれがある。このため、信号処理用マイクロコンピュータ６が、復調回路５から送られてくる書き換えデータのビットエラーレートを算出し、そのビットエラーレートが所定の閾値未満で有るときのみ、復調回路５から送られてくる書き換えデータをフラッシュメモリ７に書き込むようにすることが望ましい。信号処理用マイクロコンピュータ６をこのような構成にした場合、復調回路５から送られている書き換えデータのビットエラーレートが所定の閾値以上であるときには、信号処理用マイクロコンピュータ６が、受信信号レベルが不足している旨の画面表示を表示部に行わせるための信号を生成して出力するようにするとよい。なお、受信信号レベルが不足している旨を表示によって報知する代わりに、メインマイクロコンピュータ９が、受信信号レベルが不足している旨の音声を機器に内蔵されているスピーカやブザー等に出力させるための信号を生成して出力するようにしてもよい。
【００２６】
図２においては、本発明に係るデジタル放送受信機１０１を一台しか図示していないが、一度に複数台の本発明に係るデジタル放送受信機１０１のデータ書き換えが可能であるので、実際には一度に複数台の本発明に係るデジタル放送受信機１０１のデータ書き換えを行うようにするとよい。
【００２７】
なお、本発明においてデータ書き換えの対象はフラッシュメモリ７のデータ書き換えに限定されない。書き換え可能な不揮発性メモリのデータ書き換え全般に適用でき、例えば概略構成の説明では省略しているが、メインコンピュータ９には通常ＥＥＰＲＯＭが接続されているので、信号処理用マイクロコンピュータ６からメインマイクロコンピュータ９に書き換えデータを送り、メインマイクロコンピュータ９が前記ＥＥＰＲＯＭのデータを書き換えてもよい。
【００２８】
デジタル放送受信機としては、例えばテレビ、チューナ内蔵ＤＶＤレコーダー、チューナ内蔵ＨＤＤレコーダー等の単体機器が挙げられ、単体機器以外に、テレビとＤＶＤレコーダー或いはＤＶＤレコーダーとＨＤＤレコーダー等の複数の機器を組み合わせた複合ＡＶ装置も挙げられる。
【図面の簡単な説明】
【００２９】
【図１】は、本発明に係るデジタル放送受信機の概略構成例を示す図である。
【図２】は、工場内や倉庫内において本発明に係るデジタル放送受信機のファームアップを行う場合のシステム構成を示す図である。
【図３】は、従来のデジタル放送受信機の概略構成例を示す図である。
【図４】は、工場内や倉庫内において従来のデジタル放送受信機のファームアップを行う場合のシステム構成を示す図である。
【符号の説明】
【００３０】
１  アンテナ入力端子
２  ＲＦアンプ
３  局部発振器
４  ミキサ
５  復調回路
６  信号処理用マイクロコンピュータ
７  フラッシュメモリ
８  ＲＡＭ
９  メインマイクロコンピュータ
１０  リモコン受信部
１１  ループアンテナ
１２  ＭＯＳ電界効果トランジスタ
１０１  本発明に係るデジタル放送受信機
２０１  チューナ部
３０１  書き換えデータ送信装置
【図１】
2008066766.tif 000003
【図２】
2008066766.tif 000004
【図３】
2008066766.tif 000005
【図４】
2008066766.tif 000006